(57)【要約】【課題】高価なセンサ等を用いることなく、要求されている空気が正常に供給されているか否かを認識する。【解決手段】室内に空気を供給するためにその室内に配置された給気ユニット２ａ，２ｂ，２ｃと、給気ユニット２ａ，２ｂ，２ｃに空気を供給するための本体ユニット３と、給気ユニット２ａ，２ｂ，２ｃと本体ユニット３とを接続する電気通信回線とを給気システム１に設け、給気ユニット２ａ，２ｂ，２ｃおよび本体ユニット３の一方の情報を給気ユニット２ａ，２ｂ，２ｃおよび本体ユニット３の他方に電気通信回線を介して伝達する。【選択図】図１
2005069516.tif 000002
【特許請求の範囲】
【請求項１】
室内に空気を供給するために前記室内に配置された給気ユニットと、前記給気ユニットに空気を供給するための本体ユニットとを具備する給気システムであって、前記給気ユニットと前記本体ユニットとを接続する電気通信回線を設け、前記給気ユニットおよび前記本体ユニットの一方の情報を前記給気ユニットおよび前記本体ユニットの他方に前記電気通信回線を介して伝達することを特徴とする給気システム。
【請求項２】
前記給気ユニットおよび前記本体ユニットの一方の情報を前記給気ユニットおよび前記本体ユニットの他方に伝達すべき要求を、前記給気ユニットおよび前記本体ユニットの他方から前記給気ユニットおよび前記本体ユニットの一方に前記電気通信回線を介して伝達することを特徴とする請求項１に記載の給気システム。
【請求項３】
室内に空気を供給するために前記室内に配置された給気ユニットと、前記給気ユニットに空気を供給するための本体ユニットとを具備する給気システムであって、前記給気ユニットと前記本体ユニットとを接続する電気通信回線を設け、前記給気ユニットおよび前記本体ユニットの一方を制御するための制御信号を前記給気ユニットおよび前記本体ユニットの他方から前記給気ユニットおよび前記本体ユニットの一方に前記電気通信回線を介して伝達することを特徴とする給気システム。
【請求項４】
一の室内に空気を供給するために前記一の室内に配置された一の給気ユニットと、他の室内に空気を供給するために前記他の室内に配置された他の給気ユニットと、前記一の給気ユニットおよび前記他の給気ユニットに空気を供給するための本体ユニットとを具備する給気システムであって、前記一の給気ユニットと前記他の給気ユニットとを接続する電気通信回線を設け、前記一の給気ユニットの情報を前記他の給気ユニットに前記電気通信回線を介して伝達することを特徴とする給気システム。
【請求項５】
前記一の給気ユニットの情報を前記他の給気ユニットに伝達すべき要求を、前記他の給気ユニットから前記一の給気ユニットに前記電気通信回線を介して伝達することを特徴とする請求項４に記載の給気システム。
【請求項６】
一の室内に空気を供給するために前記一の室内に配置された一の給気ユニットと、他の室内に空気を供給するために前記他の室内に配置された他の給気ユニットと、前記一の給気ユニットおよび前記他の給気ユニットに空気を供給するための本体ユニットとを具備する給気システムであって、前記一の給気ユニットと前記他の給気ユニットとを接続する電気通信回線を設け、前記一の給気ユニットを制御するための制御信号を前記他の給気ユニットから前記一の給気ユニットに前記電気通信回線を介して伝達することを特徴とする給気システム。
【請求項７】
請求項１〜６のいずれか一項に記載の給気システムを具備する住宅構造。
【請求項８】
室内に空気を供給するために前記室内に配置される給気ユニットであって、室内に供給される空気を清浄化するための空気清浄装置と、表示部とを設け、清浄化された空気が室内に正常に供給されている時に前記表示部を第１の表示形態として表示し、清浄化された空気が室内に正常に供給されていない時に前記表示部を前記第１の表示形態とは異なる第２の表示形態として表示させることを特徴とする給気ユニット。
【請求項９】
請求項８に記載の給気ユニットを具備する住宅構造。
【発明の詳細な説明】
【技術分野】
【０００１】
本発明は、室内に空気を供給するためにその室内に配置された給気ユニットと、その給気ユニットに空気を供給するための本体ユニットとを具備する給気システムおよびそれを具備する住宅構造に関し、特には、高価なセンサ等を用いることなく、要求されている空気が正常に供給されているか否かを認識することができ、更に、要求されている空気が正常に供給されていない状態が継続されてしまうのを回避することができる給気システムおよびそれを具備する住宅構造に関する。
【０００２】
更に本発明は、一の室内に空気を供給するために一の室内に配置された一の給気ユニットと、他の室内に空気を供給するために他の室内に配置された他の給気ユニットと、一の給気ユニットおよび他の給気ユニットに空気を供給するための本体ユニットとを具備する給気システムおよびそれを具備する住宅構造に関し、特には、一の室内に配置された給気ユニットが正常に動作しているか否かを、他の室内に居ながら認識することができ、更に、一の室内に配置された給気ユニットが不正常に動作している状態が継続されてしまうのを、一の室内に行かなくても回避することができる給気システムおよびそれを具備する住宅構造に関する。
【０００３】
更に本発明は、室内に空気を供給するために室内に配置される給気ユニットおよびそれを具備する住宅構造に関し、特には、清浄化された空気が室内に正常に供給されていないことをユーザーに認識させることができる給気ユニットおよびそれを具備する住宅構造に関する。
【背景技術】
【０００４】
従来から、室内に空気を供給するためにその室内に配置された給気ユニットと、給気ユニットに空気を供給するための本体ユニットとを具備する給気システムが知られている。この種の給気システムの例としては、例えば特開平１０−２８１５２３号公報に記載されたものがある。特開平１０−２８１５２３号公報には、一戸建住宅の１階と２階とにそれぞれ設けられた給気システムが記載されており、例えば１階に設けられた給気システムには、送風機を備えた１つの本体ユニットが設けられ、１階の３つの室内にそれぞれ配置された給気ユニットに対し、その本体ユニットに設けられた送風機により、空気が供給されている。
【０００５】
つまり、特開平１０−２８１５２３号公報に記載された給気システムでは、３つの室内に空気を供給するために、３つの送風機が３つの室内の給気ユニットにそれぞれ設けられるのではなく、１つの送風機が本体ユニットに設けられている。それにより、送風機のコストが抑えられている。
【０００６】
【特許文献１】特開平１０−２８１５２３号公報
【発明の開示】
【発明が解決しようとする課題】
【０００７】
近年、居住空間内の空気の清浄化の要望が高まっており、空気を清浄化するための空気清浄装置を、上述した給気システムに適用することが考えられる。詳細には、空気清浄装置によって清浄化された空気を、送風機によって室内に供給することが考えられる。そのためには、３つの空気清浄装置を３つの室内の給気ユニットにそれぞれ設ける場合と、１つの空気清浄装置を本体ユニットに設ける場合とが考えられる。空気清浄装置のコストを考えた場合には、１つの空気清浄装置を本体ユニットに設けるのが好ましい。
【０００８】
ところが、空気清浄装置を本体ユニットに設けた場合には、空気を清浄化すべき室内と空気清浄装置とが離れすぎてしまい、室内の空気を効率良く清浄化することができない。従って、室内の空気を効率良く清浄化するためには、３つの空気清浄装置を３つの室内の給気ユニットにそれぞれ設けなければならない。
【０００９】
つまり、空気を清浄化するための空気清浄装置を、特開平１０−２８１５２３号公報に記載された給気システムに適用する場合には、３つの空気清浄装置が３つの室内の給気ユニットにそれぞれ設けられることになる。
【００１０】
ところで、ユーザーは、空気が正常に清浄化されているか否かを視覚・嗅覚等により認識することができない。そのため、清浄化された空気が室内に正常に供給されているか否かを認識するための手段を給気システムに設けることが望まれる。ところが、清浄化された空気が室内に正常に供給されているか否かを検出するためのセンサを３つの室内のそれぞれに設けると、給気システム全体のコストが著しく高くなってしまう。
【００１１】
清浄化された空気が室内に正常に供給されているか否かを、センサを用いることなく認識する方法について、本発明者が検討した結果、送風機を備えた本体ユニットと、空気清浄装置を備えた給気ユニットとが共に正常に動作する場合に、清浄化された空気が室内に正常に供給され、それらのうちの少なくとも一方が不正常に動作する場合には、清浄化された空気が室内に正常に供給されない点が見出された。
【００１２】
詳細には、空気清浄装置を備えた給気ユニットおよび送風機を備えた本体ユニットの一方の情報が、それらの他方に伝達されれば、空気清浄装置を備えた給気ユニットの情報と、送風機を備えた本体ユニットの情報とに基づいて、それらが正常に動作しているか、あるいは、それらのうちの少なくとも一方が不正常に動作しているかを認識することができ、それにより、清浄化された空気が室内に正常に供給されているか、あるいは、清浄化された空気が室内に正常に供給されていないかを認識することができる点が見出された。
【００１３】
つまり、高価なセンサ等を用いることなく、清浄化された空気が室内に正常に供給されているか否かを認識することができる方法が、本発明者により見出された。
【００１４】
また、近年においては、シックハウスなどの対策のために、住宅のすべての室内の空気を常に清浄化しておきたいという要望がある。つまり、ある室内に居ながら他の室内の空気も清浄化したいという要望がある。
【００１５】
ところが、本発明者により見出された上述した方法によって、他の室内に清浄化された空気が正常に供給されているか否かを認識しようとすると、他の室内に配置された給気ユニットが正常に動作しているか否かを、他の室内まで確認しに行くか、あるいは、本体ユニットまで確認しに行かなければならない。すなわち、他の室内に配置された給気ユニットが正常に動作しているか否かを、一の室内に居ながら認識することができない。
【００１６】
また、他の室内に配置された給気ユニットが不正常に動作している場合に、他の室内に配置された給気ユニットが不正常に動作している状態が継続されてしまうのを、一の室内に居ながら回避することができない。
【００１７】
また、従来においては、上述したように、高価なセンサ等を用いることなく、清浄化された空気が室内に正常に供給されているか否かを認識することができなかったため、清浄化された空気が室内に正常に供給されていないことをユーザーに認識させることもできなかった。
【００１８】
前記問題点に鑑み、本発明は、高価なセンサ等を用いることなく、要求されている空気が正常に供給されているか否かを認識することができ、更に、要求されている空気が正常に供給されていない状態が継続されてしまうのを回避することができる給気システムおよびそれを具備する住宅構造を提供することを目的とする。
【００１９】
更に本発明は、一の室内に配置された給気ユニットが正常に動作しているか否かを、他の室内に居ながら認識することができ、更に、一の室内に配置された給気ユニットが不正常に動作している状態が継続されてしまうのを、一の室内に行かなくても回避することができる給気システムおよびそれを具備する住宅構造を提供することを目的とする。
【００２０】
更に本発明は、清浄化された空気が室内に正常に供給されていないことをユーザーに認識させることができる給気ユニットおよびそれを具備する住宅構造を提供することを目的とする。
【課題を解決するための手段】
【００２１】
請求項１に記載の発明によれば、室内に空気を供給するために前記室内に配置された給気ユニットと、前記給気ユニットに空気を供給するための本体ユニットとを具備する給気システムであって、前記給気ユニットと前記本体ユニットとを接続する電気通信回線を設け、前記給気ユニットおよび前記本体ユニットの一方の情報を前記給気ユニットおよび前記本体ユニットの他方に前記電気通信回線を介して伝達することを特徴とする給気システムが提供される。
【００２２】
請求項２に記載の発明によれば、前記給気ユニットおよび前記本体ユニットの一方の情報を前記給気ユニットおよび前記本体ユニットの他方に伝達すべき要求を、前記給気ユニットおよび前記本体ユニットの他方から前記給気ユニットおよび前記本体ユニットの一方に前記電気通信回線を介して伝達することを特徴とする請求項１に記載の給気システムが提供される。
【００２３】
請求項３に記載の発明によれば、室内に空気を供給するために前記室内に配置された給気ユニットと、前記給気ユニットに空気を供給するための本体ユニットとを具備する給気システムであって、前記給気ユニットと前記本体ユニットとを接続する電気通信回線を設け、前記給気ユニットおよび前記本体ユニットの一方を制御するための制御信号を前記給気ユニットおよび前記本体ユニットの他方から前記給気ユニットおよび前記本体ユニットの一方に前記電気通信回線を介して伝達することを特徴とする給気システムが提供される。
【００２４】
請求項４に記載の発明によれば、一の室内に空気を供給するために前記一の室内に配置された一の給気ユニットと、他の室内に空気を供給するために前記他の室内に配置された他の給気ユニットと、前記一の給気ユニットおよび前記他の給気ユニットに空気を供給するための本体ユニットとを具備する給気システムであって、前記一の給気ユニットと前記他の給気ユニットとを接続する電気通信回線を設け、前記一の給気ユニットの情報を前記他の給気ユニットに前記電気通信回線を介して伝達することを特徴とする給気システムが提供される。
【００２５】
請求項５に記載の発明によれば、前記一の給気ユニットの情報を前記他の給気ユニットに伝達すべき要求を、前記他の給気ユニットから前記一の給気ユニットに前記電気通信回線を介して伝達することを特徴とする請求項４に記載の給気システムが提供される。
【００２６】
請求項６に記載の発明によれば、一の室内に空気を供給するために前記一の室内に配置された一の給気ユニットと、他の室内に空気を供給するために前記他の室内に配置された他の給気ユニットと、前記一の給気ユニットおよび前記他の給気ユニットに空気を供給するための本体ユニットとを具備する給気システムであって、前記一の給気ユニットと前記他の給気ユニットとを接続する電気通信回線を設け、前記一の給気ユニットを制御するための制御信号を前記他の給気ユニットから前記一の給気ユニットに前記電気通信回線を介して伝達することを特徴とする給気システムが提供される。
【００２７】
請求項７に記載の発明によれば、請求項１〜６のいずれか一項に記載の給気システムを具備する住宅構造が提供される。
【００２８】
請求項８に記載の発明によれば、室内に空気を供給するために前記室内に配置される給気ユニットであって、室内に供給される空気を清浄化するための空気清浄装置と、表示部とを設け、清浄化された空気が室内に正常に供給されている時に前記表示部を第１の表示形態として表示し、清浄化された空気が室内に正常に供給されていない時に前記表示部を前記第１の表示形態とは異なる第２の表示形態として表示させることを特徴とする給気ユニットが提供される。
【００２９】
請求項９に記載の発明によれば、請求項８に記載の給気ユニットを具備する住宅構造が提供される。
【発明の効果】
【００３０】
請求項１及び２に記載の給気システムでは、給気ユニットおよび本体ユニットの一方の情報が、給気ユニットおよび本体ユニットの他方に電気通信回線を介して伝達される。好ましくは、給気ユニットおよび本体ユニットの一方の情報が必要とされる時に、給気ユニットおよび本体ユニットの一方の情報を給気ユニットおよび本体ユニットの他方に伝達すべき要求が、給気ユニットおよび本体ユニットの他方から給気ユニットおよび本体ユニットの一方に電気通信回線を介して伝達され、次いで、その要求に基づいて、給気ユニットおよび本体ユニットの一方の情報が、給気ユニットおよび本体ユニットの他方に電気通信回線を介して伝達される。そのため、その情報により、給気ユニットと本体ユニットとが共に正常に動作しているか否かを判断することができる。詳細には、給気ユニットと本体ユニットとが共に正常に動作している時には、要求されている空気が正常に供給されていると判断することができ、一方、給気ユニットおよび本体ユニットの少なくとも一方が不正常に動作している時には、要求されている空気が正常に供給されていないと判断することができる。すなわち、高価なセンサ等を用いることなく、要求されている空気が正常に供給されているか否かを認識することができる。尚、本明細書中において、電気通信回線は無線通信回線および有線通信回線の両者を含む。
【００３１】
請求項３に記載の給気システムでは、給気ユニットおよび本体ユニットの一方を制御するための制御信号が、給気ユニットおよび本体ユニットの他方から給気ユニットおよび本体ユニットの一方に電気通信回線を介して伝達される。詳細には、例えば給気ユニットが正常に動作していない時には、本体ユニットを正常に動作させても、要求されている空気を正常に供給することができないと判断され、本体ユニットの動作を停止させる制御信号が本体ユニットに伝達される。あるいは、例えば本体ユニットが正常に動作していない時には、給気ユニットを正常に動作させても、要求されている空気を正常に供給することができないと判断され、給気ユニットの動作を停止させる制御信号が給気ユニットに伝達される。そのため、要求されている空気が正常に供給されていない状態が継続されてしまうのを回避することができる。
【００３２】
請求項４及び５に記載の給気システムでは、一の室内に配置された一の給気ユニットの情報が、他の室内に配置された他の給気ユニットに電気通信回線を介して伝達される。好ましくは、一の給気ユニットの情報が必要とされる時に、一の給気ユニットの情報を他の給気ユニットに伝達すべき要求が、他の給気ユニットから一の給気ユニットに電気通信回線を介して伝達され、次いで、その要求に基づいて、一の給気ユニットの情報が、他の給気ユニットに電気通信回線を介して伝達される。そのため、一の室内に配置された一の給気ユニットが正常に動作しているか否かを、他の室内に居ながら認識することができる。
【００３３】
請求項６に記載の給気システムでは、一の室内に配置された一の給気ユニットを制御するための制御信号が、他の室内に配置された他の給気ユニットから一の給気ユニットに電気通信回線を介して伝達される。そのため、例えば、一の室内に配置された一の給気ユニットが不正常に動作している場合に、一の給気ユニットが不正常に動作している状態が継続されてしまうのを、一の室内に行かなくても回避することができる。
【００３４】
請求項７に記載の住宅構造では、高価なセンサ等を用いることなく、要求されている空気が正常に供給されているか否かを認識することができる。また、要求されている空気が正常に供給されていない状態が継続されてしまうのを回避することができる。また、一の室内に配置された給気ユニットが正常に動作しているか否かを、他の室内に居ながら認識することができる。また、一の室内に配置された給気ユニットが不正常に動作している状態が継続されてしまうのを、一の室内に行かなくても回避することができる。
【００３５】
請求項８に記載の給気ユニットでは、清浄化された空気が室内に正常に供給されていない時に、清浄化された空気が室内に正常に供給されている時とは異なる表示形態で表示される表示部が設けられている。そのため、清浄化された空気が室内に正常に供給されていないことをユーザーに認識させることができる。
【００３６】
請求項９に記載の住宅構造では、清浄化された空気が室内に正常に供給されていないことをユーザーに認識させることができる。
【発明を実施するための最良の形態】
【００３７】
図１は本発明の給気システムの第１の実施形態を適用した一戸建住宅を示した図である。図１において、１は一戸建住宅の２階に適用された給気システム、詳細には、全熱交換型換気システムである。２ａ，２ｂ，２ｃは２階の各室内に空気を供給するために各室内に配置された給気ユニット、詳細には、給気グリルである。３は給気ユニット２ａ，２ｂ，２ｃに空気を供給するための本体ユニット、詳細には、全熱交換型換気ユニットである。４は本体ユニット３に形成された還気口、５は２階の各室内の汚れた空気を排気するための排気口である。６は２階の各室内に供給される新鮮な空気を屋外から吸い込むための吸込口、７は本体ユニット３と、給気ユニット２ａ，２ｂ，２ｃ、排気口５、および吸込口６とを連通するダクトである。
【００３８】
１’は１階に適用された給気システム、２ａ’，２ｂ’，２ｃ’は１階の各室内に空気を供給するために各室内に配置された給気ユニットである。３’は給気ユニット２ａ’，２ｂ’，２ｃ’に空気を供給するための本体ユニット、４’は本体ユニット３’に形成された還気口、５’は１階の各室内の汚れた空気を排気するための排気口である。６’は１階の各室内に供給される新鮮な空気を屋外から吸い込むための吸込口、７’は本体ユニット３’と、給気ユニット２ａ’，２ｂ’，２ｃ’、排気口５’、および吸込口６’とを連通するダクトである。１階に適用された給気システム１’と、２階に適用された給気システム１とは、ほぼ同様に構成されているため、以下、２階に適用された給気システム１についてのみ説明し、１階に適用された給気システム１’についての説明は省略する。
【００３９】
図２は図１に示した本体ユニット３の斜視図である。図２において、１１，１２は送風機としてのシロッコファン、１３は外気と室内排出空気との潜熱および顕熱を熱交換する全熱交換素子からなる熱交換器である。図１および図２に示すように、第１の実施形態の給気システムでは、まず、屋外の新鮮な空気（外気）が、シロッコファン１１により吸込口６を介して吸い込まれる。次いで、本体ユニット３に設けられたフィルタ（図示せず）により、屋外の空気に含まれている花粉、粉塵などの汚れが除去される。次いで、汚れが除去された空気が、熱交換器１３によって熱交換される。次いで、熱交換された新鮮な空気が、シロッコファン１１により給気ユニット２ａ，２ｂ，２ｃを介して各室内に供給される。
【００４０】
各室内の汚れた空気は、矢印で示すようにドアのアンダーカットなどを通り、次いで、シロッコファン１２により、還気口４を介して本体ユニット３内に吸い込まれる。次いで、本体ユニット３内に吸い込まれた空気が、熱交換器１３によって熱交換される。次いで、熱交換された空気が、シロッコファン１２により排気口５を介して屋外に排気される。
【００４１】
図３は図１に示した給気ユニット２ａを室内から見た図である。図３において、２１ａ，２１ｂ，２１ｃ，２１ｄはＬＥＤランプである。給気ユニット２ａ，２ｂ，２ｃはすべて同様に構成されているため、以下、給気ユニット２ａについてのみ説明し、給気ユニット２ｂ，２ｃについての説明は省略する。
【００４２】
図４は図３に示した給気ユニット２ａの内部に配置された空気清浄装置としてのイオン発生素子、詳細には、クラスターイオン発生素子の斜視図、図５は図４に示したイオン発生素子の断面図である。図４および図５において、３０は給気ユニット２ａを介して室内に供給される空気を清浄化するためのイオン発生素子、４０は誘電体基板、４１は誘電体基板４０の一部を構成する下板、４２は誘電体基板４０の一部を構成する上板である。４３は放電電極、４４は誘電電極、４５は保護層、４６，４７は電極接点である。
【００４３】
図４および図５に示すように、第１の実施形態の給気システム１のイオン発生素子３０では、厚さ方向に積層された下板４１および上板４２を一体化せしめることにより、誘電体基板４０が形成されている。誘電体基板４０の上面には、グリッド状放電電極４３が形成されている。下板４１と上板４２との間には、放電電極４３と対向するように面状の誘電電極４４が埋設されている。放電電極４３の上側は、保護層４５によって被覆されている。
【００４４】
誘電体基板４０を構成する下板４１および上板４２は、保護層４５と共に、ポリイミド、エポキシ等の樹脂材料、又はアルミナ、結晶化ガラス、フォルステライト、ステアタイト等のセラミックス材料を用いることができるが、耐熱性及び強度面において優位なセラミックス材料、特に、アルミナを使用するのが望ましい。
【００４５】
放電電極４３および誘導電極４４は、電極形成のために通常用いられる金属材料により形成することができるが、誘電体基板４０および保護層４５をセラミックス材料製とする場合、これらの焼成温度に耐えるために、タングステン、モリブデン等の高融点の金属材料製とするのが望ましい。
【００４６】
第１の実施形態の給気システム１のイオン発生素子３０では、例えば、アルミナシートからなる下板４１の表面に、タングステン材料のパターン印刷により誘導電極４４が形成され、次いで、この形成面全体を覆うようにアルミナシートからなる上板４２が載置して圧着せしめられる。次いで、この上板４２の表面に、同じくタングステン材料のパターン印刷により放電電極４３が形成される。更に、放電電極４３の形成域全体を覆うようにアルミナ製の保護層４５がコーティングにより形成され、最後に、これらが１４００〜１６００℃なる非酸化性雰囲気下にて焼成される。
【００４７】
放電電極４３は、上板４２および下板４１を貫通する電極接点４６によって誘電体基板４０の裏面に連通せしめられている。また、誘導電極４４は、下板４１を貫通する電極接点４７によって誘電体基板４０の裏面に連通せしめられている。放電電極４３と誘導電極４４との間には、電極接点４６，４７を介して高圧交流の駆動電圧が印加される。なお、電極接点４６，４７は、それぞれの電極４３，４４の形成過程において、対応する位置に形成されたスルーホール内に電極材料を充填することにより、一体に形成可能である。
【００４８】
放電電極４３がグリッド状に形成されているのは、駆動電圧の印加に伴って発生するイオン量を可及的に増大させるためである。また、誘導電極４４は、放電電極４３に対して中心を合わせて形成され、放電電極４３よりも長さおよび幅がそれぞれ小さい帯状に形成されている。この形状もまたイオン量の増大に寄与する。
【００４９】
第１の実施形態の給気システム１のイオン発生素子３０では、例えば、共に約０．４５ｍｍの厚さを有する下板４１および上板４２が重ねられ、大きさが約１５ｍｍ×３７ｍｍ×０．９ｍｍの誘電体基板４０が形成される。その誘電体基板４０の表面に、線幅が０．２５ｍｍ、ピッチが０．８ｍｍ、大きさが約１０．４ｍｍ×２８ｍｍのグリッド状の放電電極４３が形成される。一方、下板４１と上板４２との間には、大きさが約６ｍｍ×２４ｍｍの面状の誘導電極４４が形成される。放電電極４３と誘電電極４４との間に、電圧が略４．６ｋＶ（ピーク値）、周波数が２２ｋＨｚの高圧交流の駆動電圧が印加される。放電電極４３と誘電電極４４との間に発生するプラズマ放電の作用により、イオン発生素子３０から２５ｃｍ離れた位置において、それぞれ２０万個／ｃｃを超えるプラスイオンおよびマイナスイオンが発生せしめられる。このイオン発生量は、一般的な大きさの居室用の空気清浄装置として機能させるために十分な量である。
【００５０】
なお、イオン発生量は、イオン発生素子３０のサイズを大きくすることによって増加せしめられ、また、駆動電圧を高くすることによっても増加せしめられる。但し、駆動電圧を高くした場合、オゾンの発生量が合わせて増大するため、駆動電圧を過度に高めることは望ましくない。
【００５１】
また、放電電極４３および誘導電極４４の形状、並びにこれらの間に介在する誘電体（上板４２）の大きさおよび厚さは、適宜変更することができる。また、イオン発生素子３０は、板状の誘電体を介して対向する放電電極および誘導電極を備え、全体として平板形状をなすものであれば、上述した構成以外の構成であってもよい。
【００５２】
第１の実施形態の給気システム１の給気ユニット２ａでは、図４および図５に示したイオン発生素子３０が、給気ユニット２ａの内部に配置されている。詳細には、図２に示した本体ユニット３のシロッコファン１１によって給気ユニット２ａに供給される空気の流れに対面するように、イオン発生素子３０が配置されている。そのため、給気ユニット２ａに供給される空気中の水蒸気が、プラズマ放電によってイオン化せしめられ、略同量のプラスイオンとマイナスイオンとが生成され、給気ユニット２ａを介して室内に放出される。
【００５３】
詳細には、プラスイオンは、水素イオン（Ｈ＋）の周囲に複数の水分子が付随したクラスターイオンであり、Ｈ＋（Ｈ２Ｏ）ｍ（ｍは自然数）として表される。また、マイナスイオンは、酸素イオン（Ｏ２−）の周囲に複数の水分子が付随したクラスターイオンであり、Ｏ２−（Ｈ２Ｏ）ｎ（ｎは自然数）として表される。これらのプラスイオンおよびマイナスイオンは、給気ユニット２ａを介して室内に放出された後、室内の浮遊物（粒子、細菌）に凝集して相互に化学反応し、活性物質としての過酸化水素Ｈ２Ｏ２または水酸化ラジカル・ＯＨとなり、酸化反応により浮遊粒子を不活性化し、また、浮遊細菌を殺菌する。それにより、給気ユニット２ａが配置された室内の空気が清浄化せしめられる。外気を直接導入する給気ユニットでは、外気に含まれる浮遊細菌を殺菌して、外気を室内へ供給すると共に、室内に含まれる浮遊細菌を殺菌することにより、室内空気の清浄化が図られる。
【００５４】
第１の実施形態の給気システム１では、給気ユニット２ａ，２ｂ，２ｃと本体ユニット３とを接続する電気通信回線（図示せず）が設けられている。詳細には、給気ユニット２ａ，２ｂ，２ｃと本体ユニット３とが、無線通信回線により接続されている。
【００５５】
更に、第１の実施形態の給気システム１では、給気ユニット２ａに空気を供給するためのシロッコファン１１を有する本体ユニット３の情報が、イオン発生素子３０を有する給気ユニット２ａに、電気通信回線を介して伝達される。詳細には、例えば、本体ユニット３の情報が必要とされる時に、本体ユニット３の情報を給気ユニット２ａに伝達すべき要求が、給気ユニット２ａから本体ユニット３に電気通信回線を介して伝達され、次いで、その要求に基づいて、本体ユニット３の情報が、給気ユニット２ａに電気通信回線を介して伝達される。
【００５６】
そのため、その情報により、給気ユニット２ａと本体ユニット３とが共に正常に動作しているか否か、つまり、給気ユニット２ａに設けられたイオン発生素子３０と本体ユニット３に設けられたシロッコファン１１とが共に正常に動作しているか否かを判断することができる。詳細には、給気ユニット２ａに設けられたイオン発生素子３０と本体ユニット３に設けられたシロッコファン１１とが共に正常に動作している時には、要求されている空気、つまり、清浄化された空気が室内に正常に供給されていると判断することができる。一方、給気ユニット２ａに設けられたイオン発生素子３０および本体ユニット３に設けられたシロッコファン１１の少なくとも一方が不正常に動作している時には、清浄化された空気が室内に正常に供給されていないと判断することができる。すなわち、高価なセンサ等を用いることなく、清浄化された空気が室内に正常に供給されているか否かを給気ユニット２ａにおいて認識することができる。
【００５７】
給気ユニット２ａに伝達される本体ユニット３の情報の例としては、例えば、本体ユニット３が正常に動作しているか否か、本体ユニット３の動作が停止しているか否か、エラーによって本体ユニット３の動作が停止しているか否か、本体ユニット３がメンテナンス動作（テストモード）中であるか否かなどがある。
【００５８】
また、第１の実施形態の給気システム１では、シロッコファン１１によって供給された空気を清浄化するためのイオン発生素子３０を有する給気ユニット２ａの情報が、シロッコファン１１を有する本体ユニット３に、電気通信回線を介して伝達される。詳細には、例えば、給気ユニット２ａの情報が必要とされる時に、給気ユニット２ａの情報を本体ユニット３に伝達すべき要求が、本体ユニット３から給気ユニット２ａに電気通信回線を介して伝達され、次いで、その要求に基づいて、給気ユニット２ａの情報が、本体ユニット３に電気通信回線を介して伝達される。
【００５９】
そのため、その情報により、給気ユニット２ａと本体ユニット３とが共に正常に動作しているか否か、つまり、給気ユニット２ａに設けられたイオン発生素子３０と本体ユニット３に設けられたシロッコファン１１とが共に正常に動作しているか否かを判断することができる。詳細には、給気ユニット２ａに設けられたイオン発生素子３０と本体ユニット３に設けられたシロッコファン１１とが共に正常に動作している時には、給気ユニット２ａが配置されている室内に、要求されている空気、つまり、清浄化された空気が正常に供給されていると判断することができる。一方、給気ユニット２ａに設けられたイオン発生素子３０および本体ユニット３に設けられたシロッコファン１１の少なくとも一方が不正常に動作している時には、清浄化された空気が室内に正常に供給されていないと判断することができる。すなわち、高価なセンサ等を用いることなく、清浄化された空気が室内に正常に供給されているか否かを本体ユニット３において認識することができる。
【００６０】
本体ユニット３に伝達される給気ユニット２ａの情報の例としては、例えば、イオン発生素子３０が正常に動作しているか否か、イオン発生素子３０の動作が停止しているか否か、イオン発生素子３０が不正常に動作しているか否か、つまり、イオン発生素子３０の電気回路に異常が発生しているか否か、本体ユニット３から給気ユニット２ａに供給された空気の風量が不足しているか否かなどがある。
【００６１】
更に、第１の実施形態の給気システム１では、給気ユニット２ａを制御するための制御信号、詳細には、給気ユニット２ａに設けられたイオン発生素子３０を制御するための制御信号が、本体ユニット３から給気ユニット２ａに電気通信回線を介して伝達される。詳細には、例えば本体ユニット３に設けられたシロッコファン１１が正常に動作していない時には、給気ユニット２ａに設けられたイオン発生素子３０を正常に動作させても、清浄化された空気を室内に正常に供給することができないと判断され、イオン発生素子３０の動作を停止させる制御信号が給気ユニット２ａに伝達される。そのため、清浄化された空気が室内に正常に供給されていない状態が継続されてしまうのを回避することができる。
【００６２】
給気ユニット２ａを制御するための制御信号の例としては、例えば各モードに応じてイオン発生素子３０をオンオフするための制御信号、本体ユニット３および給気ユニット２ａの動作状態をＬＥＤランプ２１ａ，２１ｂ，２１ｃ，２１ｄに表示するための制御信号などがある。
【００６３】
また、第１の実施形態の給気システム１では、本体ユニット３を制御するための制御信号、詳細には、本体ユニット３に設けられたシロッコファン１１を制御するための制御信号が、給気ユニット２ａから本体ユニット３に電気通信回線を介して伝達される。詳細には、例えば給気ユニット２ａに設けられたイオン発生素子３０が正常に動作していない時には、本体ユニット３に設けられたシロッコファン１１を正常に動作させても、給気ユニット２ａが配置された室内に清浄化された空気を正常に供給することができないと判断され、本体ユニット３のシロッコファン１１の動作を停止させる制御信号が本体ユニット３に伝達される。そのため、清浄化された空気が室内に正常に供給されていない状態が継続されてしまうのを回避することができる。
【００６４】
本体ユニット３を制御するための制御信号の例としては、例えばエラー処理を実行させるための制御信号などがある。
【００６５】
更に、第１の実施形態の給気システム１では、一の室内に配置された一の給気ユニット２ａの情報が、他の室内に配置された他の給気ユニット２ｂ（２ｃ）に電気通信回線を介して伝達される。好ましくは、一の給気ユニット２ａの情報が必要とされる時に、一の給気ユニット２ａの情報を他の給気ユニット２ｂ（２ｃ）に伝達すべき要求が、他の給気ユニット２ｂ（２ｃ）から一の給気ユニット２ａに電気通信回線を介して伝達され、次いで、その要求に基づいて、一の給気ユニット２ａの情報が、他の給気ユニット２ｂ（２ｃ）に電気通信回線を介して伝達される。そのため、一の室内に配置された一の給気ユニット２ａが正常に動作しているか否かを、他の給気ユニット２ｂ（２ｃ）が配置された他の室内に居ながら認識することができる。
【００６６】
また、第１の実施形態の給気システム１では、一の室内に配置された一の給気ユニット２ａを制御するための制御信号が、他の室内に配置された他の給気ユニット２ｂ（２ｃ）から一の給気ユニット２ａに電気通信回線を介して伝達される。そのため、例えば、一の室内に配置された一の給気ユニット２ａに設けられたイオン発生素子３０が不正常に動作している場合に、そのイオン発生素子３０が不正常に動作している状態が継続されてしまうのを、一の給気ユニット２ａが配置された一の室内に行かなくても回避することができる。
【００６７】
図６は図３に示したＬＥＤランプ２１ａの制御方法を示したフローチャートである。図６に示すルーチンは、例えば第１の実施形態の給気システム１が作動されると開始される。まず、ステップ１０１では、給気ユニット２ａに設けられたイオン発生素子３０に対して駆動電圧が印加されているか否かが判断される。ＹＥＳの時にはステップ１０２に進み、ＮＯの時にはステップ１０３に進む。イオン発生素子３０に対して駆動電圧が印加されている時には、ステップ１０２においてＬＥＤランプ２１ａが点灯せしめられ、ステップ１０４に進む。一方、イオン発生素子３０に対して駆動電圧が印加されていない時には、ステップ１０３においてＬＥＤランプ２１ａが消灯せしめられる。
【００６８】
ステップ１０４では、清浄化された空気が室内に正常に供給されているか否か、つまり、イオン発生素子３０が正常に動作し、かつ、イオン発生素子３０に空気を供給するためのシロッコファン１１が正常に動作しているか否かが判断される。清浄化された空気が室内に正常に供給されている時、つまり、イオン発生素子３０とシロッコファン１１とが共に正常に動作している時には、ステップ１０１に戻る。一方、清浄化された空気が室内に正常に供給されていない時、つまり、イオン発生素子３０およびシロッコファン１１の少なくとも一方が正常に動作していない時には、ステップ１０５に進む。
【００６９】
ステップ１０５では、点灯せしめられていたＬＥＤランプ２１ａが、点滅状態に切り換えられる。つまり、イオン発生のエラー状態が表示される。次いで、ステップ１０６において、エラー処理が実行される。詳細には、例えばイオン発生素子３０の駆動電圧がオフにされる。更に、他の給気ユニット２ｂ，２ｃが使用されていない場合には、シロッコファン１１の動作を停止させることも可能である。
【００７０】
すなわち、第１の実施形態の給気システム１では、給気ユニット２ａが配置された室内に清浄化された空気が正常に供給されていない時、給気ユニット２ａに設けられたＬＥＤランプ２１ａが、点滅せしめられる。そのため、清浄化された空気が室内に正常に供給されていないことをユーザーに認識させることができる。なお、清浄化された空気が正常に供給されていないことをユーザーが認識できるような表示形態であれば、ＬＥＤランプ２１ａを点滅させる代わりに、ＬＥＤランプ２１ａを消灯させるなど、他の表示形態で表示することも可能である。
【００７１】
第１の実施形態の給気システムでは、給気ユニット２ａ，２ｂ，２ｃおよび本体ユニット３が無線通信回線によって相互に接続されているが、第２の実施形態の給気システムでは、給気ユニット２ａ，２ｂ，２ｃおよび本体ユニット３を有線通信回線によって相互に接続することも可能である。
【００７２】
また、第３の実施形態の給気システムでは、リモートコントローラによって本体ユニットおよび給気ユニットを制御することも可能である。
【００７３】
また、第４の実施形態の給気システムでは、上述した第１から第３の実施形態の給気システムを適宜組み合わせることも可能である。
【００７４】
第１から第４の実施形態では、本発明の給気システムが例えば一戸建住宅のような住宅構造に適用されているが、第５の実施形態では、本発明の給気システムを例えばマンションの一世帯のような住宅構造に適用することも可能である。なお、本発明に適用可能な空気清浄装置は、マイナスイオンのみを発生するものや、光触媒のようなものであってもよく、空気を何らかの形で清浄するものであればよい。また、空気の清浄は外気を建物内または室内へ導入する際に行うことにより、清浄化した空気を建物内または室内へ供給できると共に、供給した空気が循環することにより、更に室内空気を清浄化できる。
【図面の簡単な説明】
【００７５】
【図１】本発明の給気システムの第１の実施形態を適用した一戸建住宅を示した図である。
【図２】図１に示した本体ユニット３の斜視図である。
【図３】図１に示した給気ユニット２ａを室内から見た図である。
【図４】図３に示した給気ユニット２ａの内部に配置された空気清浄装置としてのイオン発生素子、詳細には、クラスターイオン発生素子の斜視図である。
【図５】図４に示したイオン発生素子の断面図である。
【図６】図３に示したＬＥＤランプ２１ａの制御方法を示したフローチャートである。
【符号の説明】
【００７６】
１    給気システム
２ａ，２ｂ，２ｃ    給気ユニット
３    本体ユニット
４    還気口
５    排気口
６    吸込口
７    ダクト
１１，１２    シロッコファン
３０    イオン発生素子
【図１】
2005069516.tif 000003
【図２】
2005069516.tif 000004
【図３】
2005069516.tif 000005
【図４】
2005069516.tif 000006
【図５】
2005069516.tif 000007
【図６】
2005069516.tif 000008